(57)【要約】【課題】  断面が円弧状を呈する物体を容易に切断可能である金属製のボルトクリッパーのカッター部構造を提供する。【解決手段】  一対の作動アーム３１、作動アーム３２と、一対のカッター部４１、カッター部４２及び一つの固定ユニット７０から構成される。カッター部４１、カッター部４２はそれぞれの刃部４７、刃部４８を有し、各刃部は二つの斜面状の刃面５１、刃面５２とそれに連接する切削刃面５３を有する。切削刃面５３は互いに接触し合い、固定ユニット７０は各カッター部の胴部に装着され、二つのカッター部４１、カッター部４２を連結、固定する。カッター部の少なくとも一つの刃面に所定の数で平行に排列する凹溝５５が設けられ、各凹溝５５は切削刃面５３に突出することで、刃面と切削刃面５３の接合箇所における切削刃線の長さを増加させ、断面が円形状を呈する物体を切断する時、物体をしっかり噛んで容易に切断可能である。【選択図】    図４
0003108871.tif 000002
【実用新案登録請求の範囲】
【請求項１】
それぞれ刃部を有し、各刃部は二つの斜面状の刃面とそれに連接する切削刃面を有し、かつ各切削刃面が互いに接触し合う一対のカッター部と、
各カッター部の胴部に装着され、二つのカッター部を連結、固定する固定ユニットと、
最上端の枢軸部によりカッター部を連接する一対の動作アームとを備え、
カッター部の少なくとも一つの刃面には所定の数で平行に排列する凹溝が設けられ、かつ各凹溝が切削刃面に突出し、刃面と切削刃面の接合箇所における切削刃線の長さが増加していることを特徴とするボルトクリッパーのカッター部構造。
【請求項２】
凹溝の横断面は、円弧形を呈することを特徴とする請求項１に記載のボルトクリッパーのカッター部構造。
【請求項３】
凹溝の横断面は、Ｖ字型を呈することを特徴とする請求項１に記載のボルトクリッパーのカッター部構造。
【請求項４】
固定ユニットは、一つの基座と一つの金属片と一対のナットと一対のワッシャから構成されることを特徴とする請求項１に記載のボルトクリッパーのカッター部構造。
【請求項５】
カッター部の刃面には、凹溝構造が設けられることを特徴とする請求項１に記載のボルトクリッパーのカッター部構造。
【考案の詳細な説明】
【技術分野】
【０００１】
本考案は、ボルトクリッパーのカッター部構造に関する。
【背景技術】
【０００２】
周知の金属製のボルトクリッパー１０は、図１に示すように、一対のカッター部１１、カッター部１２と、一対のトグル１３、トグル１４と、一対のハンドル１５、ハンドル１６とから構成される。使用の際にハンドル１５、ハンドル１６を作動させることによりトグル１３、トグル１４を動かすと同時に、トグル１３、トグル１４により二つのカッター部１１、カッター部１２を駆動し、切断の作動を執行するとともに、カッター部１１、カッター部１２及び刃部２１、刃部２２の間の相対的な位置を変え、硬い物体を切断することが可能である。
【０００３】
金属製のボルトクリッパーは主に断面が円弧状を呈しかつ比較的硬い物体、例えばケーブル、ボルト、金属コード、鉄筋などの切断に使われている。したがって、周知の金属製のボルトクリッパー１０は通常そのカッター部１１、カッター部１２の刃部２１、刃部２２があまり鋭くない形状に設けられることで、切断する時、刃こぼれ口が破裂し欠け口を形成することを防止することが可能である。つまり刃口は園芸用カッターはさみの刃カッター部とは異なるものである。また、一般の園芸用カッターのカッター部はさみの刃は、通常その刃部が一般のはさみのように鋭い構造を有するため、切断を容易に執行することが可能である。
【０００４】
図２に示すように、周知の金属製のボルトクリッパー１０は、使いう道が異なるため、通常そのカッター部１１、カッター部１２の刃部２１、刃部２２に二つの斜面状の刃面２３、刃面２４を有することで幅が適切な切削刃面２５を形成し、かつ切削刃面２５の両側に切削刃線２７、切削刃線２８を有するものである。
【考案の開示】
【考案が解決しようとする課題】
【０００５】
周知の金属製のボルトクリッパー１０は、そのカッター部１１、カッター部１２の刃部２１、刃部２２の切削刃線２７、切削刃線２８がすべて直線状を呈し、かつ二つのカッター部１１、カッター部１２の刃面２３、刃面２４も直線状を呈するため、金属製のボルトクリッパー１０によってが断面が円弧状を呈するとなる物体を切断する場合、切断しようする物のが滑りが起りやすく、切断しようとする物が刃部２１、刃部２２を離脱することが発生し発生し、切断の機能に影響を与える恐れがあり、図３に示すように操作者にとって使いにくいものである。
【０００６】
したがって本考案の目的は、上述の周知の欠点に対し、断面が円弧状を呈する物体を容易に切断可能である金属製のボルトクリッパーのカッター部構造を提供することにある。
【０００７】
本考案のもう一つの目的は、切断の効率及び機能を増強することで切断の作動をスムーズにする金属製のボルトクリッパーのカッター部構造を提供することにある。
【課題を解決するための手段】
【０００８】
上述の目的を達成するために、本考案の請求項に記載のボルトクリッパーのカッター部構造は、一対のカッター部、一つの固定ユニット及び一つの作動アームから構成される。そのうちの一対のカッター部はそれぞれの刃部を有し、各刃部が二つの斜面状の刃面とそれに連接する切削刃面を有し、かつ各切削刃面が互いに接触し合い、固定ユニットは各カッター部の胴部に装着され、二つのカッター部を連結、固定するものである。金属製のボルトクリッパーのカッター部の少なくとも一つの刃面に所定の数で平行に排列する凹溝が設けられ、かつ各凹溝が切削刃面に突出することで、刃面と切削刃面の接合箇所における切削刃線の長さを増加させるため、断面が円形状を呈する物体を切断する時、物体をしっかり噛んで容易に切断可能である。
【考案を実施するための最良の形態】
【０００９】
以下、本考案の実施例を図面に基づいて説明する。
図４は本考案の第１実施例の立体分解図である。
図５は図４のカッター部の側面図である。
図６は図４によって組み立てた後の正面図である。
図７は図４のカッター部の作動を示す模式図である。
図８は本考案の第２実施例の正面図である。
図９は本考案の第３実施例におけるカッター部の側面図である。
【００１０】
図４と図５に示すように、本考案の実施例による金属製のボルトクリッパー３０は、一対の作動アーム３１、作動アーム３２と、一対のカッター部４１、カッター部４２及び一つの固定ユニット７０から構成される。
【００１１】
そのうちの一対の作動アーム３１、作動アーム３２は、直径方向を呈する対称的な構造である。第一作動アーム３１は最上端にピボット孔槽３３、孔槽３５を有し、第二作動アーム３２は最上端にピボット孔槽３４とピボット耳部３６を有し、そしてピボット耳部３６の中間にピボット孔３６１を有する。また第一作動アーム３１７は頸部に近い位置にストッパー３７を有し、ストッパー３７は二つの作動アーム３１、作動アーム３２が切断の作動をする過程において、互いにぶっつかりあったり、干渉しあったりすることを防止するためのものである。
【００１２】
二つのカッター部４１、カッター部４２は、末端にピボット孔４３、ピボット孔４４を有し、ピボット孔４３、ピボット孔４４は二つの作動アーム３１、作動アーム３２を連接するものである。また二つのカッター部４１、カッター部４２は約中間部位にそれぞれの穿孔４５、穿孔４６を有し、かつ二つのカッター部４１、カッター部４２の向かい合う側の外縁に歯車状の枢軸歯６１、６２を有し、枢軸歯６１、６２は二つのカッター部４１、カッター部４２が作動する時、二つのカッター部４１、カッター部４２を分離させ、切断しようとする位置から離脱させることを防止するためのものである。また二つのカッター部４１、カッター部４２はそれぞれの刃部４７、刃部４８を有し、各刃部４７、刃部４８は二つの斜面状の刃面５１、刃面５２とそれに連接する切削刃面５３を有し、かつ二つの刃面５１、刃面５２にはは所定の数で平行に排列する凹溝５５が設けられ、凹溝５５はその横断面が円弧形を呈し、かつ切削刃面５３に突出することで、二つの刃面５１、刃面５２と切削刃面５３の接合箇所における二本の切削刃線５６、切削刃線５７の長さを増加させる。したがって、断面が円形状を呈する物体を切断する時、物体をしっかり噛んで容易に切断することが可能である。
【００１３】
固定ユニット７０は、基座７１と金属片７２と一対のナット７３、ナット７４と一対のワッシャ７５、ワッシャ７６から構成され、かつ穿孔４５、穿孔４６により一対のカッター部４１、カッター部４２に装着される。
【００１４】
組み立てる場合、二つの作動アーム３１、作動アーム３２のピボット孔槽３３、ピボット孔槽３４とカッター部４１、カッター部４２の末端のピボット孔４３、ピボット孔４４を照準して二つの作動可能なピボット部位３８１、ピボット部位３８２を形成する。そして二つのピボット部位３８１、ピボット部位３８２によりカッター部４１、カッター部４２と作動アーム３１、作動アーム３２はの力を加えることで屈曲する作用する転位部位を形成するとともに、金属製のボルトクリッパー３０の作用点力点と同時に作用点受け点の連結棒作動機構を形成する。カッター部４１、カッター部４２の穿孔４５、穿孔４６と固定ユニット７０を照準し、二つのカッター部４１、カッター部４２の枢軸歯６１、枢軸歯６２に合わせることで、金属製のボルトクリッパー３０の切断作動機構を形成する。また作動アーム３１のピボット孔槽３５と第二作動アーム３２のピボット耳部３６を照準して中枢支点３９を形成すると同時に、全体の連接により金属製のボルトクリッパー３０の作動する枢軸を構成する。図６に示すような金属製のボルトクリッパー３０は全体を組み立てた後の形態である。
【００１５】
図７に示すように、操作者が切断の動作をする場合、金属製のボルトクリッパー３０は二つのカッター部４１、カッター部４２に所定の数で平行に排列する凹溝５５が設けられるため、ボルトクリッパー３０の二つのカッター部４１、カッター部４２の刃部４７、刃部４８の鋭さを増強させることを可能とする。するとともに、かつ長期間で使用されされても刃こぼれ摩損または欠け口が発生しにくいだけでなく、断面が円形を呈する物体を切断する動作を容易にし、くなり、切断しようとする物の滑りを防止し、金属製のボルトクリッパー３０の切断作動をより一層スムーズにすることもが可能である。
【００１６】
また、本実施例では二つのカッター部４１、カッター部４２の刃部４７、刃部４８は平行に排列する凹溝５５を有するように設けられるが、そのうちの一つのカッター部の刃部は周知のカッター部のような構造、もう一つのカッター部の刃部は所定の数で平行に排列する凹溝５５のような構造に設けられてもよい。したがって本考案の第２実施例は図８に示すように、そのカッター部の切断機能により役割を果たすことが可能である。
【００１７】
図９に示すように本考案の第３実施例では、カッター部４１、カッター部４２の刃部４７、刃部４８は、一側の刃面に所定の数で平行に排列する凹溝５５を有し、他側の刃面に凹溝がないように設けられるが、凹溝５５の構造を横断面がＶ字型を呈する構造または同等の機能を有する構造に変えることが可能である。
【００１８】
上述の説明をまとめてみると、本考案の実施例によるボルトクリッパーのカッター部構造は、改良を加えたため、周知のボルトクリッパーによって断面が円形を呈する物体を切断する時、滑りが発生するという欠点を有効に改善し、切断の効率及び機能、ボルトクリッパーの実用性を増進することが可能である。
【図面の簡単な説明】
【００１９】
【図１】周知のボルトクリッパーを示す正面図である。
【図２】図１の周知のボルトクリッパーにおけるカッター部の側面を示す模式図である。
【図３】周知のボルトクリッパーによって断面が円形を呈する物体を切断することを示す模式図である。
【図４】本考案の第１実施例によるボルトクリッパーのカッター部構造を示す立体分解図である。
【図５】図４のカッター部を示す側面図である。
【図６】図４を組み立てた後の正面図である。
【図７】図４のカッター部の作動を示す模式図である。
【図８】本考案の第２実施例によるボルトクリッパーのカッター部構造を示す正面図である。
【図９】本考案の第３実施例によるカッター部の側面図である。
【符号の説明】
【００２０】
１０  ボルトクリッパー、１１  カッター部、１２  カッター部、１３  トグル、１４  トグル、１５  ハンドル、１６  ハンドル、２１  刃部、２２  刃部、２３  刃面、２４  刃面、２５  切削刃面、２７  切削刃線、２８  切削刃線、３０  金属製のボルトクリッパー、３１  作動アーム、３２  作動アーム、３３  ピボット孔槽、３５  ピボット孔槽、３４  ピボット孔槽、３６  ピボット耳部、３７  ストッパー、４１  カッター部、４２  カッター部、４３  ピボット孔、４４  ピボット孔、４５  穿孔、４６  穿孔、４７  刃部、４８  刃部、５１  刃面、５２  刃面、５３  切削刃面、５５  凹溝、５６  切削刃線、５７  切削刃線、６１  枢軸歯、６２  枢軸歯、７０  固定ユニット、７１  基座、７２  金属片、７３  ナット、７４  ナット、７５  ワッシャ、７６  ワッシャ、３９  中枢支点、３６１  ピボット孔、  ３８１  ピボット部位、３８２  ピボット部位
【図１】
0003108871.tif 000003
【図２】
0003108871.tif 000004
【図３】
0003108871.tif 000005
【図４】
0003108871.tif 000006
【図５】
0003108871.tif 000007
【図６】
0003108871.tif 000008
【図７】
0003108871.tif 000009
【図８】
0003108871.tif 000010
【図９】
0003108871.tif 000011